(57)【要約】【課題】塵芥収集車において、簡単な構造で確実に安全棒を格納位置にロックすると共に、容易に安全棒のロックを解除して支持位置に切り換えることができるようにする。【解決手段】塵芥投入箱７が閉じるのを規制する安全棒１０の基端側に長孔１１を設け、その長孔１１に後方開口部３の左右縁部３ａに設けた安全棒支持軸１３を挿通させ、安全棒１０を格納位置Ａと塵芥投入箱７を支持する支持位置との間で回動可能に支持し、安全棒１０をその格納位置Ａにロックする外れ止め手段１６を設ける。この外れ止め手段１６を、格納位置Ａにおいて安全棒１０の基端を押し付けるロック部材１７と、安全棒１０がロック部材１７によって押し付けられたときに安全棒１０の係止用切欠１０ａを係止する係止部材２０とで構成する。安全棒１０を格納位置Ａから支持位置に切り換えるときには、安全棒１０を基端側へ押し付けて外れ止め手段１６のロックを解除する。【選択図】図１
2008285305.tif 000002
【特許請求の範囲】
【請求項１】
車体上に搭載され、後方開口部を有する塵芥収集箱と、該後方開口部の上縁に設けた回動軸を中心に該後方開口部を開閉可能に覆う塵芥投入箱と、該塵芥投入箱が閉じるのを規制する安全棒とを備えた塵芥収集車であって、
上記安全棒は、その基端側に設けた長孔に上記後方開口部の左右の少なくとも一方の縁部に設けた安全棒支持軸を挿通させることで、該安全棒支持軸を中心に格納位置と支持位置との間で回動可能に支持され、該支持位置において、その先端側で上記塵芥投入箱を支持可能に構成され、
上記安全棒を上記格納位置にロックする外れ止め手段が設けられ、
上記外れ止め手段は、
上記格納位置において安全棒の基端を押し付けるロック部材と、
上記安全棒が上記ロック部材によって押し付けられたときに該安全棒の先端を係止する係止部材と、
を備え、
上記安全棒を格納位置から支持位置に切り換えるときには、上記安全棒を基端側へ押し付けて上記外れ止め手段のロックを解除するように構成されている
ことを特徴とする塵芥収集車。
【請求項２】
請求項１に記載の塵芥収集車において、
上記安全棒は、その基端側に、支持位置において上記後方開口部の左右の少なくとも一方の縁部に当接して、それ以上回動するのを規制する回動規制用傾斜面を有し、
上記ロック部材は、上記安全棒支持軸の基端側に回転自在に設けられると共に、上記回動規制用傾斜面が当接する安全棒押付面を有し、該安全棒押付面の径方向反対側には、上記後方開口部周縁に設けられて上記安全棒を係止する方向へ付勢する付勢部材が連結されている
ことを特徴とする塵芥収集車。
【請求項３】
請求項２に記載の塵芥収集車において、
上記ロック部材は、板状部材の一部に上記安全棒押付面が形成されたものよりなる
ことを特徴とする塵芥収集車。
【請求項４】
請求項３に記載の塵芥収集車において、
上記付勢部材は、一端が上記後方開口部の左右の少なくとも一方の縁部に連結され、他端が上記ロック部材の周縁部に連結された引っ張りバネである
ことを特徴とする塵芥収集車。
【請求項５】
請求項１乃至４のいずれか１つに記載の塵芥収集車において、
上記一対の安全棒のうち少なくとも一方の長手方向中間部には、回動時に把持されるハンドルが形成され、
上記一対の安全棒の基端側には、下方に延びる上下連結棒がそれぞれ連結され、
上記各上下連結棒の下端部が左右連結棒によって連結されており、
上記ハンドルを操作することで、上記一対の安全棒が連動するように構成されている
ことを特徴とする塵芥収集車。
【発明の詳細な説明】
【技術分野】
【０００１】
本発明は、塵芥収集車に関し、特にその塵芥投入箱の落下を防止する安全棒の支持構造に関するものである。
【背景技術】
【０００２】
従来より、車体上に搭載され、後方開口部を有する塵芥収集箱と、該後方開口部の上縁に設けた回動軸を中心に該後方開口部を開閉可能に覆う、塵芥押込用の塵芥投入箱とを備えた塵芥収集車は知られている。このような塵芥収集車において、塵芥投入箱を開いた状態で、油圧機器の故障等により、塵芥投入箱が意図せず降りてきて閉じるのを規制する安全棒を設けることが知られている。
【０００３】
このような塵芥収集車において、例えば、特許文献１に示すように、塵芥収集箱の後端外周に設けた補強枠の後面上部には、塵芥投入箱支持用の安全棒が上下回動可能に設けられている。この安全棒に補強枠内に位置するアームを固定し、アームの自由端に補強枠内にて垂下させたロッドを連結している。このロッドの下部には、補強枠前方に突出させた上下方向に操作可能な操作レバーが設けられている。
【０００４】
特許文献２では、塵芥収集箱の後方枠に起倒自在にヒンジ結合され、通常時には安全棒シリンダ装置が駆動されてロッドが伸長し、格納位置に付勢される安全棒が記載されている。また、塵芥収集箱は、車体に設けたダンプシリンダ装置により、後方の枢支軸を中心に回動されてダンプ可能に構成されている。
【０００５】
特許文献３のものでは、安全棒に対して起き上がり方向のバネ力を付勢する起立付勢手段と、この安全棒の最大起き上がり角度で安全棒を停止させるストッパと、安全棒の自由端を抑えるロック位置と開放するアンロック位置との間を揺動できるように塵芥収集箱の後端面に枢支された抑えレバーとを備えている。このことで、塵芥投入箱を開状態とするのに連動して安全棒が支持位置に自動で起き上がるようにしている。
【特許文献１】実開昭６３−１７８２０２号公報
【特許文献２】特開昭６３−８１０２号公報
【特許文献３】実開昭６１−７８１０５号公報
【発明の開示】
【発明が解決しようとする課題】
【０００６】
しかしながら、特許文献１のような塵芥収集車では、安全棒を格納したときの固定構造が設けられていないので、安全棒を使用する意図のないときに誤って安全棒が降りてきて危険である。特に、塵芥収集箱が特許文献２のように、後方の枢支軸を中心にダンプ可能に構成されている場合には、安全棒が確実に格納位置に固定されていないと、意図せず自重で倒れてくるという問題があった。
【０００７】
一方、特許文献２のものでは、安全棒シリンダ装置によって安全棒を格納位置に固定することができるが、油圧を用いた複雑な構造でコストが高いという問題がある。
【０００８】
特許文献３のものでは、塵芥投入箱を開いていても安全棒を格納位置に保持したいような場合があっても、塵芥投入箱を開くと連動して安全棒が支持位置に変わるので、不便である。
【０００９】
本発明は、かかる点に鑑みてなされたものであり、その目的とするところは、簡単な構造で確実に安全棒を格納位置にロックすると共に、容易に安全棒のロックを解除して支持位置に切り換えることができるようにすることにある。
【課題を解決するための手段】
【００１０】
上記の目的を達成するために、この発明では、安全棒をその格納位置にロックする外れ止め手段を設け、安全棒を基端側へ押し付けることで、そのロックを解除するようにした。
【００１１】
具体的には、第１の発明では、車体上に搭載され、後方開口部を有する塵芥収集箱と、該後方開口部の上縁に設けた回動軸を中心に該後方開口部を開閉可能に覆う塵芥投入箱と、該塵芥投入箱が閉じるのを規制する安全棒とを備えた塵芥収集車を対象とする。
【００１２】
上記安全棒は、その基端側に設けた長孔に上記後方開口部の左右の少なくとも一方の縁部に設けた安全棒支持軸を挿通させることで、該安全棒支持軸を中心に格納位置と支持位置との間で回動可能に支持され、該支持位置において、その先端側で上記塵芥投入箱を支持可能に構成され、
上記安全棒を上記格納位置にロックする外れ止め手段が設けられ、
上記外れ止め手段は、
上記格納位置において安全棒の基端を押し付けるロック部材と、
上記安全棒が上記ロック部材によって押し付けられたときに該安全棒の先端を係止する係止部材と、
を備え、
上記安全棒を格納位置から支持位置に切り換えるときには、上記安全棒を基端側へ押し付けて上記外れ止め手段のロックを解除するように構成されている。
【００１３】
上記の構成によると、安全棒の基端側には長孔が設けられているので、安全棒は、その長孔に挿通した安全棒支持軸を中心に回動可能に支持されると共に、長孔の長手方向にスライド可能となっている。安全棒は、ロック部材によって係止部材側へ押し付けられた状態で、その先端を係止部材に係止させることにより、確実に格納位置に保持される。このため、安全棒は意図せず回動することはない。一方、格納状態を解除するには、安全棒を基端側へ押し付けてスライドさせ、先端の係止を外してロックを解除すればよい。ロックを解除した後、安全棒を回動させることで、安全棒が支持位置に切り換えられる。支持位置にすることで、塵芥投入箱が開いているときに意図せず降りてきても、安全棒によって支持される。
【００１４】
第２の発明では、第１の発明において、
上記安全棒は、その基端側に、支持位置において上記後方開口部の左右の少なくとも一方の縁部に当接して、それ以上回動するのを規制する回動規制用傾斜面を有し、
上記ロック部材は、上記安全棒支持軸の基端側に回転自在に設けられると共に、上記回動規制用傾斜面が当接する安全棒押付面を有し、該安全棒押付面の径方向反対側には、上記後方開口部周縁に設けられて上記安全棒を係止する方向へ付勢する付勢部材が連結されている。
【００１５】
上記の構成によると、安全棒は、その基端側の回動規制用傾斜面が後方開口部の左右の少なくとも一方の縁部に当接することにより、さらに回動させようとしてもそれ以上回動することはない。このため、塵芥投入箱が意図せず降りてきても、安全棒により、その自重が確実に支えられる。
【００１６】
第３の発明では、第２の発明において、
上記ロック部材は、板状部材の一部に上記安全棒押付面が形成されたものよりなる。
【００１７】
上記の構成によると、簡単且つ安価な構成で安全棒が格納位置に保持される。
【００１８】
第４の発明では、第３の発明において、
上記付勢部材は、一端が上記後方開口部の左右の少なくとも一方の縁部に連結され、他端が上記ロック部材の周縁部に連結された引っ張りバネである。
【００１９】
上記の構成によると、ロック部材は、常に引っ張りバネによって引っ張られることで、回転するように付勢され、その安全棒押付面によって安全棒の回動規制用傾斜面が押し付けられるので、安全棒が格納位置に保持される。
【００２０】
第５の発明では、第１乃至第４のいずれか１つの発明において、
上記一対の安全棒のうち少なくとも一方の長手方向中間部には、回動時に把持されるハンドルが形成され、
上記一対の安全棒の基端側には、下方に延びる上下連結棒がそれぞれ連結され、
上記各上下連結棒の下端部が左右連結棒によって連結されており、
上記ハンドルを操作することで、上記一対の安全棒が連動するように構成されている。      
【００２１】
上記の構成によると、一方の安全棒に設けたハンドルを操作するだけで、左右連結棒が回転されて他方の安全棒も連動して回動される。このため、安全棒の切換操作が容易に行われる。
【発明の効果】
【００２２】
以上説明したように、上記第１の発明によれば、安全棒を、その長孔に挿通した安全棒支持軸を中心に回動可能に且つ長孔の長手方向にスライド可能に支持し、ロック部材によって押し付けた状態で、その先端を係止部材に係止させることにより、確実に格納位置に保持して意図せず回動するのを防止している。また、安全棒を基端側へ押し付けてスライドさせ、ロックを解除して格納状態を解除して回動させることで、支持位置に切り換え、塵芥投入箱が開いているときに意図せず降りてきても、安全棒によって支持されるようにしている。このため、簡単な構造で確実に安全棒を格納位置にロックすると共に、容易に安全棒のロックを解除して支持位置に切り換えることができる。
【００２３】
上記第２の発明によれば、安全棒の回動規制用傾斜面を後方開口部の左右の少なくとも一方の縁部に当接させて安全棒が回動するのを規制し、支持位置に保持するようにしている。このため、塵芥投入箱の自重を確実に支持することができるので、油圧機器等の故障により塵芥投入箱が意図せず降りてきても、それ以上降りることはなく、作業員の安全を確保することができる。
【００２４】
上記第３の発明によれば、板状部材の一部に安全棒押付面を形成してロック部材としたことにより、簡単な構成で安全棒を格納位置に保持することができるので、コストが削減される。
【００２５】
上記第４の発明によれば、ロック部材を常に引っ張りバネによって引っ張って回転するように付勢して、その安全棒押付面によって安全棒の回動規制用傾斜面を押し付けるようにしている。このため、安全棒を容易且つ確実に格納位置に保持することができるので、安全棒が意図せず降りてくるのが防止され、作業員の安全を確保することができる。
【００２６】
上記第５の発明によれば、一方の安全棒に設けたハンドルを操作して他方の安全棒も連動して回動させるようにしている。このため、安全棒の切換操作を極めて容易に行うことができるので、切換時間の短縮化を図ることができる。
【発明を実施するための最良の形態】
【００２７】
以下、本発明の実施形態を図面に基づいて説明する。
【００２８】
−塵芥収集車の構成−
図２は本発明の実施形態の塵芥収集車１を示し、この塵芥収集車１は、その車体２上に後方開口部３を有する塵芥収集箱４を搭載している。この塵芥収集箱４は、図３に示すように、ダンプ用シリンダ５によって後方のダンプ回動軸（図示せず）を中心に回動可能（ダンプ可能）に構成されている。
【００２９】
上記塵芥収集箱４の後方開口部３の上縁には、塵芥投入箱７が後方開口部３を開閉可能に覆うように設けられている。具体的には、塵芥投入箱７は、その回動軸８を中心に回動可能に支持され、塵芥投入箱開閉用シリンダ９を伸縮させることで後方開口部３を開閉可能となっている。図示しないが、この塵芥投入箱７内には、塵芥を塵芥収集箱４に押し込むための押し込み装置が内蔵されている。塵芥を収集するときには、塵芥投入箱７を閉じて押し込み装置により、塵芥収集箱４内に塵芥を押し込み、収集した塵芥を排出するときには、塵芥投入箱７を開いて塵芥収集箱４をダンプさせて内部の塵芥が排出されるようになっている。
【００３０】
上記後方開口部３は、矩形状を有し、その左右縁部３ａには、左右外側に隆起する隆起部が形成され、その左右縁部３ａが塵芥投入箱７の周縁前面と当接するように構成されている。
【００３１】
図１、図４〜図７に示すように、本実施形態の塵芥収集車１は、塵芥投入箱７が開いているときに、意図せず閉じるのを規制する左右一対の安全棒１０を備えている。この一対の安全棒１０は、細長い板状の部材で構成され、その基端側がそれぞれ後方開口部３の左右縁部３ａに回動可能に支持されている。図１に示すように、安全棒１０の基端側には、安全棒１０の長手方向に長い長孔１１が形成されている。一方、後方開口部３の隆起部後面３ｂには、それぞれ安全棒支持用ブラケット１２（図５及び図６では、見やすくするために２点鎖線で示す）が設けられ、この安全棒支持用ブラケット１２には、安全棒支持軸１３が設けられている。この安全棒支持軸１３を安全棒１０の長孔１１に挿通させることで、この安全棒支持軸１３を中心に安全棒１０が格納位置Ａと支持位置Ｂとの間で回動可能に支持されている。
【００３２】
上記安全棒１０の基端は、切り欠かれて回動規制用傾斜面１４が形成されている。この回動規制用傾斜面１４は、安全棒１０が図４及び図６に示す支持位置Ｂにあるときに、後方開口部３の左右縁部３ａの隆起部の後面３ｂに面接触して、安全棒１０がそれ以上回動するのを規制する役割を担っている。安全棒１０が支持位置Ｂにあるときに、その先端側で意図せず降りてきた塵芥投入箱７を支持可能に構成されている。
【００３３】
上記安全棒支持軸１３の下方には、安全棒１０をその格納位置Ａにロックする外れ止め手段１６が設けられている。この外れ止め手段１６は、安全棒１０の格納位置Ａにおいて、その基端を押し付けるロック部材１７を備えている。このロック部材１７は、板状部材の一部に安全棒押付面１７ａが形成されたものよりなり、安全棒支持用ブラケット１２に設けたロック部材支持軸１８を中心に回転自在に支持されている。安全棒押付面１７ａは、安全棒１０の格納位置Ａにおいて、その回動規制用傾斜面１４の先端が当接するようになっている。
【００３４】
上記安全棒支持用ブラケット１２の下方には、付勢手段としての引っ張りコイルバネ１９が設けられている。引っ張りコイルバネ１９の一端は、後方開口部３の隆起部後面３ｂに設けたのバネ取付ブラケット２６に連結され、他端は、ロック部材１７の安全棒押付面１７ａの周縁部に連結されている。このことで、引っ張りコイルバネ１９は、ロック部材１７を図１の反時計回りに回転するように付勢し、安全棒押付面１７ａで安全棒１０の回動規制用傾斜面１４を押し付けるように構成されている。なお、支持位置Ｂでは、安全棒押付面１７ａが図示しないストッパ部に当接することにより、それ以上ロック部材１７が回転しないようになっている。
【００３５】
上記安全棒１０の先端側は切り欠かれ、係止用切欠１０ａが形成されている。一方、後方開口部３の左右縁部３ａの上側には、それぞれ安全棒１０がロック部材１７によって押し付けられたときに安全棒１０の係止用切欠１０ａを係止する係止部材２０が設けられている。この係止部材２０は、丸棒を折り曲げて後方開口部３の左右縁部３ａに溶接等により固定されている。なお、隆起部の後面３ｂの上下中間部には、先端にゴム部材２７ａが設けられ、このゴム部材２７ａに格納位置Ａにある安全棒１０の側面が当接する箱側当接部２７が設けられている。一方、塵芥投入箱７の前面側には、支持位置Ｂにおいて、安全棒１０の先端が当接する板状の塵芥投入箱側当接部２８が設けられている。
【００３６】
安全棒１０を格納位置Ａから支持位置Ｂに切り換えるときには、引っ張りコイルバネ１９の付勢力に抗して安全棒１０を基端側へ押し付けてロック部材１７を時計回りに回動させて係止用切欠１０ａと係止部材２０との係止を解き、外れ止め手段１６のロックを解除するように構成されている。
【００３７】
一対の安全棒１０のうち少なくとも一方（両方に設けてもよい）の長手方向中間部には、回動時に把持されるハンドル２１が形成されている。ハンドル２１は、例えば、丸棒を折り曲げたものよりなる。また、安全棒１０の基端側には、三角形状の取付部２２が突設され、この取付部２２には、下方に延びる上下連結棒２３が回動可能に連結されている。左右の上下連結棒２３の下端部には、アーム部材２４の一端がそれぞれ連結されている。図８に示すように、両アーム部材２４の他端側には、左右連結棒２５が連結されている。このことで、一方のハンドル２１を操作すると、一対の安全棒１０が連動するように構成されている。
【００３８】
−作動−
次に、本実施形態にかかる塵芥収集車１の作動について説明する。
【００３９】
塵芥収集車１に塵芥を収集するときには、図２に実線で示すように、塵芥投入箱７で後方開口部３を閉じた状態で、塵芥投入箱７内に塵芥を投入して押し込み装置により、塵芥収集箱４内に押し込む。また、塵芥収集箱４を車体２上に載せたまま、塵芥投入箱開閉用シリンダ９を伸ばし、２点鎖線で示すように、塵芥投入箱７を開いて塵芥収集箱４内の清掃点検等を行う場合もある。
【００４０】
収集した塵芥を排出するときには、図３に示すように、塵芥投入箱７を開いて塵芥収集箱４をダンプさせて内部の塵芥を排出する。
【００４１】
ここで、図５に示すように、安全棒１０の基端側には長孔１１が設けられているので、安全棒１０は、その長孔１１に挿通した安全棒支持軸１３を中心に回動可能に支持されると共に、長孔１１の長手方向にスライド可能となっている。格納位置Ａでは、ロック部材１７は、常に引っ張りバネによって引っ張られることで、回転するように付勢され、その安全棒押付面１７ａによって安全棒１０の回動規制用傾斜面１４を押し付ける。安全棒１０の係止用切欠１０ａを係止部材２０に係止させることにより、確実に安全棒１０が格納位置Ａに保持される。このため、安全棒１０は意図せず回動することはない。
【００４２】
一方、格納状態を解除するには、安全棒１０を基端側へ押し付けてスライドさせ、係止用切欠１０ａと係止部材２０との係止を解き、ロックを解除すればよい。このとき、一方の安全棒１０に設けたハンドル２１を引っ張りコイルバネ１９の張力に抗して下方に押し下げるだけで、左右連結棒２５が回転されて他方の安全棒１０も連動して押し下げられ、ロックが解除される。
【００４３】
ロックを解除した後、一方の安全棒１０に設けたハンドル２１を操作して後方側へ安全棒１０を回動するだけで、左右連結棒２５が回転されて他方の安全棒１０も連動して回動する。そして、安全棒１０の基端側の回動規制用傾斜面１４が後方開口部３の左右縁部３ａに当接することにより、それ以上回動するのを規制されるので、安全棒１０が支持位置Ｂに保持される。
【００４４】
塵芥投入箱７は、通常、図２及び図３に示すように、点検時やダンプ時などには、大きく後方に回動されて開かれる。このように、塵芥投入箱７を開いているときに、油圧機器の故障等により、塵芥投入箱開閉用シリンダ９が縮んで塵芥投入箱７が意図せず降りてきたとしても、安全棒１０により、その自重が確実に支えられる。
【００４５】
このように、一方の安全棒１０に設けたハンドル２１を操作するだけで、左右連結棒２５が回転されて他方の安全棒１０も連動して回動されるので、安全棒１０の切換操作が容易に行われる。
【００４６】
−実施形態の効果−
したがって、本実施形態にかかる塵芥収集車１によると、安全棒１０を、その長孔１１に挿通した安全棒支持軸１３を中心に回動可能に且つ長孔１１の長手方向にスライド可能に支持し、ロック部材１７によって上方へ押し上げた状態で、その先端を係止部材２０に係止させることにより、確実に格納位置Ａに保持して意図せず回動するのを防止している。また、安全棒１０を基端側へ押し付けてスライドさせ、係止部材２０とのロックを解除して格納状態を解除して回動させることで、支持位置Ｂに切り換え、塵芥投入箱７が開いているときに意図せず降りてきても、安全棒１０によって支持されるようにしている。このため、簡単な構造で確実に安全棒１０を格納位置Ａにロックすると共に、容易に安全棒１０のロックを解除して支持位置Ｂに切り換えることができる。
【００４７】
また、安全棒１０の回動規制用傾斜面１４を後方開口部３の隆起部後面３ｂに当接させて回動するのを規制し、安全棒１０を支持位置Ｂに保持するようにしている。このため、塵芥投入箱７の自重を確実に支持することができるので、油圧機器等の故障により塵芥投入箱７が意図せず降りてきても、それ以上降りることはなく、作業員の安全を確保することができる。
【００４８】
また、板状部材の一部に安全棒押付面１７ａを形成してロック部材１７としたことにより、簡単な構成で安全棒１０を格納位置Ａに保持することができるので、コストを削減することができる。
【００４９】
また、ロック部材１７を常に引っ張りバネによって引っ張って回転するように付勢し、その安全棒押付面１７ａによって安全棒１０の回動規制用傾斜面１４を押し上げるようにしている。このため、安全棒１０を容易且つ確実に格納位置Ａに保持することができるので、安全棒１０が意図せず降りてくるのが防止され、作業員の安全を確保することができる。
【００５０】
さらに、一方の安全棒１０に設けたハンドル２１を操作して他方の安全棒１０も連動して回動させるようにしている。このため、安全棒１０の切換操作を極めて容易に行うことができるので、切換時間の短縮化を図ることができる。
【００５１】
（その他の実施形態）
本発明は、上記実施形態について、以下のような構成としてもよい。
【００５２】
すなわち、上記実施形態では、外れ止め手段１６は、安全棒１０の下方に設けているが、安全棒１０の上方に設けてもよい。その際、安全棒１０を上記実施形態と上下逆に取り付けるようにすればよい。
【００５３】
上記実施形態では、塵芥収集箱４をダンプ回動軸を中心にダンプ可能に構成しているが、必ずしもダンプ可能にする必要はない。但し、上記実施形態のようにダンプしたときに、安全棒１０が自重で降りて来やすいので、安全棒１０の保持効果が顕著に発揮される。
【００５４】
上記実施形態では、一対の安全棒１０を、その下方の左右連結棒２５を介して連結しているが、必ずしも連結する必要はない。
【００５５】
上記実施形態では、左右縁部３ａにそれぞれ安全棒１０を設けたが、必ずしも一対設ける必要はなく、一方の左右縁部３ａにのみ設けてもよい。
【００５６】
なお、以上の実施形態は、本質的に好ましい例示であって、本発明、その適用物や用途の範囲を制限することを意図するものではない。
【図面の簡単な説明】
【００５７】
【図１】本発明の実施形態にかかる塵芥収集車における、格納位置にある安全棒及びその周辺を示す側面図である。
【図２】塵芥収集車の全体を示す側面図である。
【図３】塵芥投入箱を開いて塵芥収集箱をダンプする様子を示す図２相当図である。
【図４】安全棒が支持位置にある様子を示す図１相当図である。
【図５】安全棒が格納位置にあるときの外れ止め装置を拡大して示す側面図である。
【図６】安全棒が支持位置にあるときの図５相当図である。
【図７】図４のVII−VII線断面図である。
【図８】図１のVIII−VIII線断面図である。
【符号の説明】
【００５８】
１      塵芥収集車
２      車体
３      後方開口部
３ａ    左右縁部
４      塵芥収集箱
７      塵芥投入箱
８      回動軸
１０      安全棒
１０ａ    係止用切欠（先端）
１１      長孔
１３      安全棒支持軸
１４      回動規制用傾斜面
１６      外れ止め手段
１７      ロック部材
１７ａ    安全棒押付面
１９      コイルバネ（付勢手段）
２０      係止部材
２１      ハンドル
２３      上下連結棒
２５      左右連結棒
【図１】
2008285305.tif 000003
【図２】
2008285305.tif 000004
【図３】
2008285305.tif 000005
【図４】
2008285305.tif 000006
【図５】
2008285305.tif 000007
【図６】
2008285305.tif 000008
【図７】
2008285305.tif 000009
【図８】
2008285305.tif 000010